(57)【要約】【課題】医療用器具に備えられる可撓性のある長尺状の本体部を巻回した状態でコンパクトに収納することができ、かつ、長尺状の本体部に付いた曲がり癖の矯正を簡単な操作で適切に行うことができる収納性および利便性に優れた収納具を提供する。【解決手段】収納具１００は、ガイディングカテーテル２００の本体部２１０を収納可能な内腔と、内腔に連通しガイディングカテーテルの本体部を挿入可能な基端開口部とを備え、本体部を巻回した状態で収納する管状の収納部１１０と、基端開口部を介した収納部からの本体部の引き出しをガイドするガイド部と、を有し、収納部は、当該収納部に本体部を収納した状態において、巻回した当該収納部の外形線の接線よりも当該収納部の巻回軸に近い位置に本体部の中心軸が配置されるようにガイディングカテーテルを保持し、ガイド部は、巻回した収納部の径方向外側へ向けて本体部を湾曲させる。【選択図】図２
2016112201.tif 000002
【特許請求の範囲】
【請求項１】
医療用器具に備えられる可撓性のある長尺状の本体部を収納する収納具であって、
前記医療用器具の本体部を収納可能な内腔と、前記内腔に連通し前記医療用器具の本体部を挿入可能な開口部とを備え、前記本体部を巻回した状態で収納する管状の収納部と、
前記開口部を介した前記収納部からの前記本体部の引き出しをガイドするガイド部と、を有し、
前記収納部は、当該収納部に前記本体部を収納した状態において、巻回した当該収納部の外形線の接線よりも当該収納部の巻回軸に近い位置に前記本体部の中心軸が配置されるように前記医療用器具を保持し、
前記ガイド部は、巻回した前記収納部の径方向外側へ向けて前記本体部を湾曲させる、収納具。
【請求項２】
前記ガイド部は、前記収納部において前記開口部が位置する基端側に形成され他の部位よりも容易に湾曲するように構成された湾曲変形部を有する請求項１に記載の収納具。
【請求項３】
前記湾曲変形部は、前記収納部に形成した蛇腹構造部を有する請求項２に記載の収納具。
【請求項４】
前記湾曲変形部は、前記収納部における他の部位よりも柔軟に形成された柔軟部を有する請求項２または請求項３に記載の収納具。
【請求項５】
前記湾曲変形部の湾曲可能な範囲を制限する湾曲制限部をさらに有する請求項２〜４のいずれか１項に記載の収納具。
【請求項６】
前記湾曲制限部は、前記収納部の基端部を保持して前記湾曲変形部を湾曲した状態に維持する変形維持部材を有する請求項５に記載の収納具。
【請求項７】
前記医療用器具は、内部に内腔が形成された前記本体部と、前記本体部の基端部に配置されたハブとを備えるガイディングカテーテルである、請求項１〜６のいずれか１項に記載の収納具。
【請求項８】
前記医療用器具は、内部に内腔が形成された前記本体部と、前記本体部の基端部に配置されたハブとを備え、
前記収納具は、前記ハブを固定するハブ固定部を有しており、
前記医療用器具は、前記収納部に前記本体部を収納した状態において、前記ハブが前記ハブ固定部に固定されており、かつ、前記収納部から前記本体部を引き出す際、前記本体部が前記ガイド部に挿入される、請求項１に記載の収納具。
【請求項９】
前記ガイド部は、前記収納部の開口部から露出させた前記本体部を挿通させるガイド溝と、前記収納部に取り付け可能な取り付け部とを備える挿通部材を有する請求項８に記載の収納具。
【請求項１０】
長尺状の本体部を有する医療用器具と、
前記本体部を収納する収納具と、を備えており、
前記収納具は、前記医療用器具の本体部を収納可能な内腔と、前記内腔に連通し前記医療用器具の本体部を挿入可能な開口部とを備え、前記本体部を巻回した状態で収納する管状の収納部と、前記収納部からの前記本体部の引き出しをガイドするガイド部と、を有し、
前記ガイド部は、前記収納部において前記開口部が位置する基端側に形成され他の部位よりも容易に湾曲するように構成された湾曲変形部を備えており、
前記湾曲変形部は、前記収納部から前記本体部を引き出す際、巻回した前記収納部の径方向外側へ向けて前記本体部を湾曲させる、前記医療用器具が保持された収納具。
【発明の詳細な説明】
【技術分野】
【０００１】
本発明は、医療用器具を収納する収納具に関する。
【背景技術】
【０００２】
カテーテルやガイドワイヤのような医療用器具には、生体内に導入される長尺状の本体部（例えば、内腔を備える管状部材等）が一般的に備えられている。医療用器具に備えられる長尺状の本体部は、生体の血管等の管腔内に挿入されて生体内の各部への送達が可能となるように、ある程度の長さ（有効長）で形成されている。例えば、医療用器具を運搬や保管する際には、長尺状の本体部を全体的に直線状に引き伸ばした状態で保持する保持用台紙（下記特許文献１を参照）や、長尺状の本体部を渦巻き状に巻回した状態で収納するホルダチューブ（下記特許文献２を参照）などが使用されている。
【先行技術文献】
【特許文献】
【０００３】
【特許文献１】特開２０１４−１８２０９号公報
【特許文献２】特開２０１２−５５６０１号公報
【発明の概要】
【発明が解決しようとする課題】
【０００４】
特許文献１に記載された保持用台紙を使用する場合、長尺状の本体部に不用意な形状（曲がり癖、巻き癖等）が付いてしまうのを防止することはできるものの、長尺状の本体部を直線状に引き伸ばした状態で運搬や保管を行うため、運搬時の取り扱いが煩雑になる上に、比較的大きな保管スペースを確保する必要がある。
【０００５】
一方で、特許文献２に記載されたホルダチューブを使用する場合、長尺状の本体部をコンパクトに収納することが可能になるため、上記のような問題が発生するのを回避できるが、本体部に対して巻回による曲がり癖が付いてしまう点が懸念される。特に、医療用器具を包装する際は、ホルダチューブ内に本体部を収納した状態で、ホルダチューブとともに本体部を密封用の包装容器内に収納し、エチレンオキサイドガス（ＥＯＧガス）や高圧蒸気滅菌による滅菌処理を施すが、この滅菌処理の際に付与される熱の影響を受けて、医療用器具の本体部に対してホルダチューブの巻回形状（ループ形状）が転写されてしまう。その結果、医療用器具の本体部に比較的強固な曲がり癖が付いてしまうことがある。
【０００６】
本体部に曲がり癖が付いてしまうと、コシ強度の低下やトルク伝達性の低下といった意図しない物性の低下が発生する。このため、本体部に曲がり癖が付いた場合には、本体部の物性が著しく損なわれることの無い程度に曲がり癖を矯正（緩和）する作業を行う必要がある。しかしながら、これまでは、ホルダチューブのようコンパクトな収納性と、使用に際して本体部の曲がり癖の矯正を簡便に行うことを可能にする利便性とを兼ね備えた収納具は存在しなかった。
【０００７】
本発明は、上述した課題に鑑みてなされたものであり、医療用器具に備えられる可撓性のある長尺状の本体部を巻回した状態でコンパクトに収納することができ、かつ、長尺状の本体部に付いた曲がり癖の矯正を簡単な操作で適切に行うことができる収納性および利便性に優れた収納具を提供することを目的とする。
【課題を解決するための手段】
【０００８】
上記目的を達成する収納具は、医療用器具に備えられる可撓性のある長尺状の本体部を収納する収納具であって、前記医療用器具の本体部を収納可能な内腔と、前記内腔に連通し前記医療用器具の本体部を挿入可能な開口部とを備え、前記本体部を巻回した状態で収納する管状の収納部と、前記開口部を介した前記収納部からの前記本体部の引き出しをガイドするガイド部と、を有し、前記収納部は、当該収納部に前記本体部を収納した状態において、巻回した当該収納部の外形線の接線よりも当該収納部の巻回軸に近い位置に前記本体部の中心軸が配置されるように前記医療用器具を保持し、前記ガイド部は、巻回した前記収納部の径方向外側へ向けて前記本体部を湾曲させることを特徴とする。
【発明の効果】
【０００９】
上記のように構成した収納具によれば、医療用器具の本体部をガイド部によりガイドしながら収納部から引き出す簡単な操作により、本体部に付いた曲がり癖を矯正することができる。そして、本体部の中心軸を巻回した収納部の外形線の接線よりも巻回軸に近い位置に配置した状態で医療用器具を収納しておき、本体部の引き出し作業を開始する際に本体部を収納具の湾曲方向の反対側に湾曲させて曲がり癖を矯正するため、本体部に対して曲がり癖と逆方向に過度な形状付けがなされるのを防止することができる。このため、医療用器具に備えられる可撓性のある長尺状の本体部を巻回した状態でコンパクトに収納することができ、かつ、長尺状の本体部に付いた曲がり癖の矯正を簡単な操作で適切に行うことができる収納性および利便性に優れた収納具を提供することが可能になる。
【図面の簡単な説明】
【００１０】
【図１】本発明の第１実施形態に係る収納具を示す平面図である。
【図２】第１実施形態に係る収納具を示す概観斜視図である。
【図３】第１実施形態に係る収納具が備えるガイド部を示す図であって、（Ａ）は、収納具から医療用器具の本体部を引き出す前の様子を示す拡大断面図、（Ｂ）は、収納具から医療用器具の本体部を引き出す際の様子を示す拡大断面図である。
【図４】第１実施形態に係る収納具が備えるガイド部の使用例を示す図であり、（Ａ）は、収納具内に医療用器具の本体部を収納した状態を示す拡大斜視図、（Ｂ）は、ガイド部を使用する際の様子を示す拡大斜視図、（Ｃ）は、ガイド部を使用して医療用器具の本体部の引き出しをガイドしている際の様子を示す拡大斜視図である。
【図５】ガイド部により曲がり癖を矯正した医療用器具の本体部を示す平面図である。
【図６】収納具が備えるガイド部の第１変形例を示す図であって、（Ａ）は、収納具から医療用器具の本体部を引き出す前の様子を示す拡大断面図、（Ｂ）は、収納具から医療用器具の本体部を引き出す際の様子を示す拡大断面図である。
【図７】収納具が備えるガイド部の第２変形例を示す図であって、（Ａ）は、収納具から医療用器具の本体部を引き出す前の様子を示す拡大断面図、（Ｂ）は、収納具から医療用器具の本体部を引き出す際の様子を示す拡大断面図である。
【図８】収納具が備えるガイド部の第３変形例を示す拡大断面図である。
【図９】収納具が備えるガイド部の第４変形例を示す拡大斜視図である。
【図１０】本発明の第２実施形態に係る収納具を示す図であって、（Ａ）は、収納具の要部を拡大して示す平面図、（Ｂ）は、図１０（Ａ）に示す１０Ｂ−１０Ｂに沿う断面を示す拡大断面図である。
【発明を実施するための形態】
【００１１】
以下、添付した図面を参照しながら、本発明の実施形態を説明する。なお、以下の説明は特許請求の範囲に記載される技術的範囲や用語の意義を限定するものではない。また、図面の寸法比率は説明の都合上誇張されており、実際の比率とは異なる場合がある。
【００１２】
＜第１実施形態＞
図１〜図５は、本発明の第１実施形態に係る収納具の説明に供する図である。図１、図２は、収納具の全体構成を示す図であり、図３は、収納具が備えるガイド部の構成を示す図であり、図４および図５は、収納具が備えるガイド部の使用例および作用を説明するための図である。
【００１３】
図１に示すように、本実施形態に係る収納具１００は、カテーテルやガイドワイヤ等の医療用器具２００を収納して保持する器具として構成されており、巻回した管状の収納部１１０と、収納部１１０から医療用器具２００を引き出す際に、医療用器具２００の本体部２１０に付いた曲げ癖（巻回癖）を矯正するガイド部１２０と、を有している。
【００１４】
収納具１００が備える収納部１１０は、カテーテルやガイドワイヤなどの医療用器具を保管や運搬する際に使用されるホルダチューブと称される管状の部材により構成している。収納部１１０は、例えば、塩化ビニル、ポリウレタンエラストマー、ポリスチレンエラストマー等の公知の樹脂材料により構成したものを使用することができる。
【００１５】
収納部１１０は、全体的に略円形の外形を有するように、巻回軸Ｍの周方向に沿って複数回巻かれている。本実施形態においては、収納部１１０の基端部を基準にして、時計周りに約２周半巻回している。ただし、収納部１１０を巻回する回数、巻回方向、巻回した後の外形寸法、巻回中心位置等は特に限定されず、適宜変更することが可能である。
【００１６】
図２に示すように、収納部１１０において巻回された各部は、便宜上、第１巻回し部１１１、第２巻回し部１１２、第３巻回し部１１３と称するものとする。第１巻回し部１１１は、収納部１１０の最外周に位置する部分であり、第３巻回し部１１３は、収納部１１０の最内周に位置する部分であり、第２巻回し部１１２は、収納部１１０の最内周と最外周の間の中間に位置する部分である。
【００１７】
明細書の説明においては、収納部１１０において最内周に位置する端部側（第３巻回し部１１３に位置する端部側）を先端側と称し、収納部１１０において最外周に位置する端部側（第１巻回し部１１１に位置する端部側）を基端側と称する。同様に、ガイディングカテーテル２００の本体部２１０において収納部１１０の先端側に配置される端部側を先端側と称し、収納部１１０の基端側に配置される端部側を基端側と称する。なお、先端部は、先端端部から基端側に亘る所定の範囲を意味するものであり、先端端部のみを意味するものではない。また、基端部は、基端端部から先端側に亘る所定の範囲を意味するものであり、基端端部のみを意味するものではない。
【００１８】
収納具１００による収納対象となる医療用器具は、収納部１１０内に挿入可能な可撓性を備える長尺状の部分（以下、「本体部」と称する）を備えるものであれば特に限定されず、例えば、薬液の送達等に使用される医療用チューブ、マイクロカテーテル、バルーンカテーテル、ガイドワイヤ等の公知の医療用器具が挙げられる。本実施形態においては、収納対象である医療用器具として、生体の体腔（例えば、血管等）内へ各種の医療装置等を送達するために使用されるガイディングカテーテル２００を例示している。
【００１９】
ガイディングカテーテル２００の本体部２１０は、生体の体腔内に挿入される部分であり、内部にはその延在方向に沿って内腔が形成されている。本体部２１０は、一般的にシャフト部と称される部分である。本体部２１０の実質的な長さ(有効長)は、１５００ｍｍ程度に形成されており、一般的なガイディングカテーテルと比較して長く形成されている。このような長さで形成されたガイディングカテーテル２００を直線状に保持して運搬や保管すると、その取扱いが煩雑になるが、本実施形態に係る収納具１００を使用することにより、ガイディングカテーテル２００の本体部２１０の長さに関わらず、ガイディングカテーテル２００をコンパクトに収納した状態で運搬や保管を行うことが可能になる。
【００２０】
ガイディングカテーテル２００の基端部には、ハブ２２０と、本体部２１０とハブ２２０の間の継手になるストレインリリーフ２３０を設けている。ガイディングカテーテル２００は、本体部２１０の長さが一般的なガイディングカテーテルと比較して長く形成されている点以外、例えば、各部の構造や各部の材料等は公知のガイディングカテーテルと同様に構成することができる。このため、ガイディングカテーテル２００の詳細な構造や材質等の説明は省略する。なお、ガイディングカテーテル２００は、収納部１１０内に本体部２１０を収納可能であればその構成は特に限定されるものではなく、本体部２１０の長さが従来と同様の公知のものであってもよい。
【００２１】
図３（Ａ）に示すように、収納具１００が備える収納部１１０の内部には、ガイディングカテーテル２００の本体部２１０を収納する内腔１１５を形成している。内腔１１５は、ガイディングカテーテル２００の本体部２１０の外径よりも大きな径を有している。
【００２２】
図１、図２に示すように、収納部１１０の先端部には、内腔１１５に連通する先端開口部１１６ａを形成しており、収納部１１０の基端部には、内腔１１５に連通する基端開口部１１６ｂを形成している。なお、収納部１１０の基端開口部１１６ｂの端部付近は、基端側に向けて拡径するテーパー形状に形成している。基端開口部１１６ｂの端部付近をテーパー形状に形成することにより、ガイディングカテーテル２００の本体部２１０を収納部１１０内へ収納する際に、本体部２１０を円滑に挿入させることが可能になる。また、ストレインリリーフ２３０の先端部が収納部１１０の基端開口部１１６ｂへ挿入される長さが増えるため、ストレインリリーフ２３０の収納部１１０への固定を強固にすることも可能である。
【００２３】
ガイディングカテーテル２００の本体部２１０を収納部１１０内に収納する際は、収納部１１０の基端開口部１１６ｂを介して本体部２１０の先端部を収納部１１０の内腔１１５内に挿入し、本体部２１０を収納部１１０の先端側へ押し込む。本体部２１０の基端側に配置したストレインリリーフ２３０は、その基端側から先端側にかけて外形寸法が徐々に小さくなるテーパー形状に形成している。このため、本体部２１０を収納部１１０内に収納する作業を行うと、本体部２１０とともにストレインリリーフ２３０の先端側の一定の範囲が収納部１１０内に収納される。ストレインリリーフ２３０の外形寸法が収納部１１０の内径を超える部分まで挿入されると、それ以降のストレインリリーフ２３０の挿入が制限されて、ストレインリリーフ２３０が収納部１１０に対して固定された状態となる（図３（Ａ）を参照）。したがって、図１および図２に示すように、収納具１００を使用してガイディングカテーテル２００の本体部２１０を収納した状態においては、ハブ２２０とストレインリリーフ２３０の一部は、収納部１１０内には収納されず、収納部１１０の基端開口部１１６ｂから露出して配置される。
【００２４】
ガイディングカテーテル２００において収納部１１０の基端開口部１１６ｂから露出した部分、より具体的には、基端開口部１１６ｂから露出したストレインリリーフ２３０の先端部付近は、本体部２１０を収納部１１０から引き出す際に引き出しが開始される引き出し位置Ｐ１となる（図４（Ａ）を参照）。ガイディングカテーテル２００の本体部２１０を収納部１１０から引き出す際は、例えば、収納部１１０から露出したハブ２２０等を手指で基端側へ引っ張る。この作業により、収納部１１０の基端開口部１１６ｂを介して本体部２１０を収納部１１０の外部へ引き出すことができる。
【００２５】
図４（Ａ）に示すように、収納具１００は、収納部１１０内に本体部２１０を収納した状態においては、巻回した収納部１１０の外形線の接線Ｔよりも巻回軸Ｍ（巻回中心を通る軸）に近い位置に引き出し位置Ｐ１が配置されるようにガイディングカテーテル２００を保持する。ここでいう接線Ｔは、巻回した収納部１１０の最外周部分（第１巻回し部１１１）の外形線の接線である。より具体的には、接線Ｔは、ガイディングカテーテル２００の本体部２１０を収納部１１０から引き出す際に、収納部１１０を径方向外方へ曲げる際の曲げ位置の起点となる部分Ｐ２を通る接線である（図４（Ｂ）を参照）。本実施形態においては、曲げ位置の起点となる部分Ｐ２は、第１巻回し部１１１において後述する変形維持部材１３１が取り付けられた最外周部分である。
【００２６】
また、「接線Ｔよりも巻回軸Ｍに近い位置」とは、図４（Ａ）に示すように、接線Ｔよりも巻回軸Ｍ側に位置する領域Ａの範囲内にあること、または接線Ｔ上に中心軸Ｃ１が重なるように配置されることを意味する。引き出し位置Ｐ１を領域Ａに配置するために、収納部１１０の基端開口部１１６ｂは、引き出し作業を開始する前の段階、すなわち、収納部１１０内に本体部２１０を収納した状態においては、領域Ａ内に配置される。基端開口部１１６ｂが領域Ａに配置されることで、引き出し位置Ｐ１が、自ずと領域Ａ内に配置されることになる。また、ハブ２２０およびストレインリリーフ２３０は、基端開口部１１６ｂが領域Ａ内に配置されることで、領域Ａ内に配置される。さらに、ガイディングカテーテル２００の本体部２１０の中心軸Ｃ１（本体部２１０の軸心を通る軸線）は、ハブ２２０およびストレインリリーフ２３０とともに領域Ａ内に配置される。
【００２７】
引き出し位置Ｐ１や本体部２１０の中心軸Ｃ１は、例えば、接線Ｔ１上に重なるように配置することができる。この場合、接線Ｔ１上にハブ２２０やストレインリリーフ２３０が略直線上に配置されることになる。ただし、後述するように、ガイド部１２０を使用した本体部２１０の引き出しをガイドする際に本体部２１０の基端側に不要な曲げ癖が付いてしまうのを防止するために、好ましくは、収納部１１０の第１巻回し部１１１の外形線に沿うようにハブ２２０やストレインリリーフ２３０を配置して、引き出し位置Ｐ１や本体部２１０の中心軸Ｃ１を可能な限り巻回軸Ｍに近付けて配置するのがよい。
【００２８】
図１に示すように、収納具１００は、例えば、ガイディングカテーテル２００の本体部２１０を収納部１１０内に収納した状態で所定の包装容器３００内に収容（パッケージング）されて、ガイディングカテーテル２００および包装容器３００とともにカテーテルセット１０を構成する。
【００２９】
包装容器３００としては、医療用器具等を清潔な状態に保ち、製造現場等から使用現場等へ医療用器具を搬送するために使用される公知のピール袋を使用することができる。図示する包装容器３００には、包装容器３００の基材を構成する台紙３０１と、台紙３０１に取り付けられるフィルム部分３０３と、フィルム部分３０３の上方側に形成された開口部３０５と、開口部３０５を封止する封止部３０７とが備えられている。
【００３０】
包装容器３００は、収納具１００およびガイディングカテーテル２００を収容可能な容積を有する縦長の袋状に構成している。包装容器３００のフィルム部分３０３は、内部の視認性を確保するために、例えば、透明や半透明に形成することができる。また、包装容器３００は、内部に収納具１００およびガイディングカテーテル２００を収容した状態で、これらの部材に対してエチレンオキサイドガスや高圧蒸気滅菌による滅菌処理を施すことを可能にするために、例えば、表面側に配置されるフィルム部分３０３を公知の樹脂材料からなるプラスチックシートで形成する一方で、裏面側に配置される台紙３０１をガス透過性の不織布等で形成することができる。
【００３１】
上記のように、収納具１００の収納部１１０内にガイディングカテーテル２００の本体部２１０を収納した状態で滅菌処理を施すと、滅菌処理の際に付与される熱の影響により、ガイディングカテーテル２００の本体部２１０に対して収納部１１０の巻回形状が転写されて、強固な曲がり癖が付いてしまうことがある。後述するように、本実施形態の収納具１００に備えられるガイド部１２０は、ガイディングカテーテル２００の本体部２１０を収納部１１０から引き出す際に、本体部２１０に付いた曲がり癖の矯正を補助する機能を有している（図４（Ｂ）、（Ｃ）を参照）。
【００３２】
図１に示すように、収納具１００が備える収納部１１０の先端部にはホルダハブ１４０を取り付けている。ホルダハブ１４０は、本体部２１０に対するプライミング処理を実施する際に、プライミング液を供給するためのシリンジ（図示省略）が接続される部分である。収納部１１０にホルダハブ１４０を取り付けることにより、収納部１１０内に本体部２１０を収納した状態でプライミング処理を実施することが可能になる。このプライミング処理は、例えば、本体部２１０に湿潤時に潤滑性を有する親水性コートが被覆されている場合、本体部２１０に被覆される親水性コートを濡らして潤滑性を発現させるために実施される。プライミング液としては、例えば、生理食塩水を使用することができる。
【００３３】
図２に示すように、収納部１１０には所定の固定具１５０を取り付けている。各固定具１５０には、収納部１１０の第１巻回し部１１１を嵌め込むための溝部１５１ａと、第２巻回し部１１２を嵌め込むための溝部１５１ｂを設けている。各溝部１５１ａ、１５１ｂに第１巻回し部１１１および第２巻回し部１１２を嵌め込むことにより、収納部１１０に対して固定具１５０を固定することができる。収納部１１０に固定具１５０を固定することにより、収納部１１０の各巻回し部１１１、１１２、１１３がばらつくのを防止することができ、収納部１１０の外形形状を円形に維持することが可能になる。図示例では２つの固定具１５０を使用しているが、固定具の使用数は特に限定されない。また、固定具１５０の使用を省略することも可能である。特に、本実施形態に係る収納具１００においては、後述する湾曲制限部１３０やハブ固定具１６０が固定具１５０と同様の機能を有するため、固定具１５０の使用を省略しても収納部１１０を巻回した状態に維持することが可能である。
【００３４】
図２に示すように、収納具１００には、収納部１１０に対してガイディングカテーテル２００のハブ２２０を固定するハブ固定具１６０が備えられている。ハブ固定具１６０は、収納部１１０に対して着脱可能に構成された取り付け部１６３と、取り付け部１６３から伸びるアーム部１６４と、ハブ２２０を固定する固定部（「ハブ固定部」に相当する）１６５と、を有している。
【００３５】
取り付け部１６３は、収納部１１０の第２巻回し部１１２および第３巻回し部１１３が嵌め込まれることにより、各巻回し部１１２、１１３に対して固定力を作用させる二つの溝部１６３ａ、１６３ｂを有している。アーム部１６４は、所定の長さで取り付け部１６３と固定部１６５との間に延在している。固定部１６５は、ハブ２２０が嵌め込まれることにより、ハブ２２０に対して固定力を作用させる溝部を有している。
【００３６】
前述したように、収納部１１０内にガイディングカテーテル２００の本体部２１０を収納した際に、本体部２１０の中心軸Ｃ１は、引き出し作業を開始するまでの間は、領域Ａに配置されるが、ハブ２２０等の比較的重量がある部分が固定されていないと、ハブ２２０が領域Ａ内に留まらず、ハブ２２０とともに収納部１１０の基端部が領域Ａから外れた位置に配置されてしまう可能性がある。そこで、ハブ固定具１６０を使用してハブ２２０を収納部１１０に対して固定することにより、収納部１１０から一定の範囲内にハブ２２０の位置を保持して、ハブ２２０とともに収納部１１０の基端部を領域Ａ内において保持することを可能にしている。
【００３７】
なお、ハブ固定具１６０の構成は、収納部１１０の基端部付近および本体部２１０の中心軸Ｃ１を領域Ａ内に保持することが可能であれば特に限定されない。ハブ２２０を固定する位置やハブ２２０を固定する固定部１６５の数等は適宜変更することも可能である。また、収納部１１０から露出されるハブ２２０以外の部分、例えば、ストレインリリーフ２３０等を固定する固定具を使用して本体部２１０の中心軸Ｃ１の位置を保持することも可能である。
【００３８】
図３（Ａ）、図３（Ｂ）に示すように、収納具１００が備えるガイド部１２０は、収納部１１０に形成した湾曲変形部１２５により構成している。
【００３９】
湾曲変形部１２５は、収納部１１０において基端開口部１１６ｂ側に位置する基端部の一部を湾曲可能に構成した部分である。つまり、収納具１００においては、ガイディングカテーテル２００の本体部２１０を収納する収納部１１０の一部にガイド部としての機能を付加している。具体的には、湾曲変形部１２５は、収納部１１０に形成した蛇腹構造部により構成している。
【００４０】
湾曲変形部１２５を構成する蛇腹構造部は、収納部１１０の内表面および外表面に断面三角形の凹凸状の折り目を付けることで形成している。図３（Ａ）に示すように、収納部１１０内にガイディングカテーテル２００の本体部２１０を収納した状態においては、湾曲変形部１２５は巻回した形状、つまり巻回軸Ｍ周りに湾曲した形状を維持する。図３（Ｂ）に示すように、収納部１１０内からガイディングカテーテル２００の本体部２１０を引き出す際には、湾曲変形部１２５を構成する蛇腹構造部は所定の方向へ向けて湾曲させる。蛇腹構造部を湾曲させる作業は、手指等を介して収納部１１０の基端部（基端開口部１１６ｂ付近）を所定の方向へ向けて屈曲させることで行うことができる。このような簡単な作業で収納部１１０内に収納したガイディングカテーテル２００の本体部２１０に過度な負荷を掛けることなく湾曲変形部１２５を湾曲させることができる。
【００４１】
なお、収納部１１０が樹脂材料等によって構成される場合、収納部１１０自体の物性により収納部１１０の各部が湾曲変形し得るように構成されるため、収納部１１０に湾曲変形部１２５を設ける必要がないとも考えられる。しかしながら、収納部１１０が物性自体によりある程度湾曲可能に構成されるような場合においても、湾曲変形部１２５を構成する蛇腹構造部を設けると、湾曲変形部１２５を他の部位と比較してさらに容易に湾曲変形させることが可能になる。後述するように、収納部１１０からガイディングカテーテル２００の本体部２１０を引き出す際には、湾曲変形部１２５は、本体部２１０に付いた曲げ癖を矯正し得るようにある程度の大きさの曲率で曲げる必要がある。このような観点より、収納具１００においては、使用者の意図に応じた所望の曲率で収納部１１０の基端側を部分的に湾曲変形させることが可能となるように、収納部１１０に湾曲変形部１２５を設けている。
【００４２】
本実施形態に係る収納具１００においては、蛇腹構造部を形成する凹凸形状を収納部１１０の内表面および外表面の両方に形成しているが、例えば、収納部１１０の外表面のみに凹凸形状を付与して蛇腹構造部を構成することも可能である。このように構成することにより、収納部１１０内へガイディングカテーテル２００の本体部２１０を挿入する際や収納部１１０からガイディングカテーテル２００の本体部２１０を引き出す際に、本体部２１０の外表面や本体部２１０に被覆された親水性コート等に損傷を与えるリスクを抑制することができる。また、収納部１１０の材質等にもよるが、収納部１１０の外表面に少なくとも蛇腹構造部が設けられていれば、蛇腹構造部が設けられていない場合と比較して収納部１１０を容易に湾曲変形させることが可能である。このため、湾曲変形部１２５が形成された部分の内表面に蛇腹構造部を設けていない場合においても、蛇腹構造部の機能が大きく損なわれることはない。
【００４３】
収納部１１０において湾曲変形部１２５が形成される位置や湾曲変形部１２５の長さ寸法（収納部１１０において延在する長さ）等は、特に限定されない。ただし、収納部１１０の基端開口部１１６ｂまで湾曲変形部１２５が延在していると、収納部１１０の基端端部が不用意に湾曲してしまうことにより、基端開口部１１６ｂの向きを一定の方向に維持することが難しくなる可能性がある。このため、湾曲変形部１２５は、例えば、基端開口部１１６ｂよりも先端側に形成することが好ましい。
【００４４】
図２に示すように、収納具１００には、湾曲変形部１２５の湾曲可能な範囲を制限する湾曲制限部１３０を設けている。図４（Ａ）、（Ｂ）に示すように、湾曲制限部１３０は、収納部１１０の基端部を保持して湾曲変形部１２５を湾曲した状態に維持する変形維持部材１３１により構成している。
【００４５】
変形維持部材１３１は、収納部１１０に取り付けられる取り付け部１３３と、取り付け部１３３から収納部１１０と離間する方向に延びるアーム部１３４と、アーム部１３４の先端に設けられた固定部１３５と、を有している。
【００４６】
変形維持部材１３１の取り付け部１３３には、収納部１１０の第１巻回し部１１１を嵌め込むための第１溝部１３３ａと、収納部１１０の第２巻回し部１１２を嵌め込むための第２溝部１３３ｂと、収納部１１０の第３巻回し部１１３を嵌め込むための第３溝部１３３ｃとが形成されている。各溝部１３３ａ、１３３ｂ、１３３ｃに各巻回し部１１１、１１２、１１３を嵌め込むことにより、変形維持部材１３１を収納部１１０に対して固定することができる。
【００４７】
変形維持部材１３１の固定部１３５は、湾曲変形させた状態の収納部１１０の第１巻回し部１１１を固定するための部分である（図４（Ｂ）を参照）。固定部１３５は、第１巻回し部１１１の基端部（収納部１１０の基端部）の所定の位置を収容して保持する収容部１３６と、収容部１３６からの第１巻回し部１１１の抜けを防止する抜け防止部１３７と、を有している。抜け防止部１３７には収容部１３６に連なる隙間が形成されている。この隙間を介して第１巻回し部１１１を収容部１３６内へ押し込むと、第１巻回し部１１１は固定部１３５に対して固定される。抜け防止部１３７は、第１巻回し部１１１が収容部１３６から不用意に抜け出ることを防止して、固定部１３５に対する第１巻回し部１１１の固定を維持する。
【００４８】
変形維持部材１３１のアーム部１３４は、巻回した状態の収納部１１０の基端側へ伸びるように形成している。アーム部１３４の長さにより、その先端に位置する固定部１３５の位置が規定されると、固定部１３５が収納部１１０を固定する位置が規定される。例えば、アーム部１３４が収納部１１０の基端側に長く形成される程、固定部１３５は収納部１１０の基端側に配置されるため、固定部１３５による収納部１１０の固定位置は基端側にずれることになる。
【００４９】
図４（Ｂ）に示すように、固定部１３５の位置により、湾曲変形部１２５が湾曲する範囲（湾曲角度）が制限されることになる。また、固定部１３５の位置により、収納部１１０からガイディングカテーテル２００の本体部２１０を引き出す際の湾曲変形部１２５（ガイド部１２０）の曲率が規定される。収納具１００においては、収納部１１０を湾曲変形させて固定部１３５に対して固定させた際、つまり、湾曲変形部１２５を最も湾曲変形させた際に、湾曲変形部１２５よりも基端側に位置する部分が、湾曲変形部１２５よりも先端側に位置する部分に対して略直角をなすように固定部１３５を配置している。ただし、固定部１３５の位置は特に限定されるものではなく、適宜変更することが可能である。
【００５０】
収納具１００に備えられる固定具１５０、ハブ固定具１６０、および変形維持部材１３１は、例えば、ポリエチレンテレフタレート、ポリメチルメタクリレート、ポリカーボネート等の硬質の樹脂材料、ガラス、セラミックスなどで構成することが可能である。
【００５１】
次に、図４を参照して、収納具１００の使用例を説明する。
【００５２】
図４（Ａ）に示すように、収納部１１０は、ガイディングカテーテル２００の本体部２１０を収納した状態において、巻回軸Ｍ周りに巻回す。この際、本体部２１０の中心軸Ｃ１は領域Ａ内に配置する。また、収納部１１０の第１巻回し部１１１の基端部にも巻回し形状が付くように、第１巻回し部１１１全体を巻回す。
【００５３】
ガイディングカテーテル２００の運搬に際して、図４（Ａ）に示す状態の収納具１００およびガイディングカテーテル２００を包装容器３００内に収容し（図１を参照）、さらに滅菌処理を施すと、収納部１１０内に収納したガイディングカテーテル２００の本体部２１０に曲がり癖が付くことがある。
【００５４】
図４（Ｂ）に示すように、ガイディングカテーテル２００の本体部２１０に付いた曲がり癖を矯正するために、収納具１００のガイド部１２０（湾曲変形部１２５）を用いる。具体的には、ガイディングカテーテル２００の本体部２１０を取り出す際に、ガイド部１２０を図示するように巻回した収納部１１０の径方向外方（図４Ｂ中の矢印ａ方向）へ向けて湾曲させる。なお、径方向外方とは、図示例においては、第２巻回し部１１２および第３巻回し部１１３の円弧部分を含む外形線（円形）の外方であり、かつ、巻回軸Ｍから離間する方向である。
【００５５】
ガイド部１２０を湾曲させると、ガイド部１２０が形成された第１巻回し部１１１が湾曲する。この際、第１巻回し部１１１が第２巻回し部１１２から離間する方向へ向けて過度に湾曲しないように、第１巻回し部１１１の基端部を変形維持部材１３１の固定部１３５に対して固定する。なお、ガイド部（湾曲変形部１２５）が蛇腹構造部により構成されている場合、蛇腹構造自体が湾曲した状態を維持する機能も有しているため、変形維持部材１３１の使用を省略することも可能である。また、本体部２１０を湾曲させる角度（ガイド部１２０の湾曲形状）は、曲がり癖の矯正が可能な範囲で適宜調整することができ、図示するような角度に限定されることはない。
【００５６】
次に、図４（Ｃ）に示すように、ガイド部１２０により第１巻回し部１１１を湾曲させた状態で、収納部１１０からガイディングカテーテル２００の本体部２１０を引き出す。ガイディングカテーテル２００の本体部２１０は、巻回した収納部１１０の径方向外側（径方向外方）へ向けて湾曲しながら、収納部１１０の基端開口部１１６ｂを介して収納部１１０から引き出される。この際、ガイディングカテーテル２００の本体部２１０は、ガイド部１２０により、第２巻回し部１１２および第３巻回し部１１３の円弧部分と逆側に膨らむ円弧形状をなすように引き出されるため、巻回した収納部１１０の形状が転写した曲がり癖が矯正される。その結果、図５に示すように、本体部２１０は、曲がり癖を矯正する前の本体部２１０ａに比べて、全体が緩やかに湾曲した形状となる。
【００５７】
収納部１１０からガイディングカテーテル２００の本体部２１０を引き出す際に、ガイド部１２０により曲がり癖が過度に矯正されると、収納部１１０の巻回し形状とは逆側に曲がり癖が付いてしまうことが懸念される。本実施形態に係る収納具１００においては、本体部２１０の中心軸Ｃ１を接線Ｔよりも巻回軸Ｍに近い位置（領域Ａ内）に配置した状態でガイディングカテーテル２００の本体部２１０を収納して保持しているため、本体部２１０には、その基端部を含めた全体に亘って比較的強い曲がり癖が付く。そして、このような曲がり癖が付いた状態で本体部２１０に対する矯正を開始するため、矯正作業時に曲がり癖と逆側に曲がり癖が付いてしまうのを好適に防止することができる。なお、引き出し作業を可能な限り短時間で行うことにより、曲がり癖と逆側に曲がり癖が付いてしまうのをより一層効果的に防止することが可能になる。
【００５８】
以上、本実施形態に係る収納具１００によれば、ガイディングカテーテル２００の本体部２１０をガイド部１２０（湾曲変形部１２５）によりガイドしながら収納部１１０から引き出す簡単な操作により、本体部２１０に付いた曲がり癖を矯正することができる。そして、本体部２１０の中心軸Ｃ１を巻回した収納部１１０の外形線の接線Ｔよりも巻回軸Ｍに近い位置に配置した状態でガイディングカテーテル２００を収納しておき、本体部２１０の引き出し作業を開始する際に収納具１００の湾曲方向の反対側に本体部２１０を湾曲させて曲がり癖を矯正するため、本体部２１０に対して曲がり癖と逆方向に過度な形状付けがなされるのを防止することができる。このため、ガイディングカテーテル２００に備えられる可撓性のある長尺状の本体部２１０を巻回した状態でコンパクトに収納することができ、かつ、長尺状の本体部２１０に付いた曲がり癖の矯正を簡単な操作で適切に行うことができる収納性および利便性に優れた収納具１００を提供することが可能になる。
【００５９】
ガイド部１２０が、収納部１１０において基端開口部１１６ｂが位置する基端側に形成され他の部位よりも容易に湾曲するように構成された湾曲変形部１２５を有するため、収納具１００に複雑な構成を設けることなく、ガイディングカテーテル２００の本体部２１０の曲がり癖を矯正する機能を収納具１００に備えさせることができる。これにより、収納具１００の製造作業の簡略化および製造コストの削減を図ることができる。
【００６０】
湾曲変形部１２５が、収納部１１０に形成した蛇腹構造部により構成されているため、湾曲変形部１２５を簡素な構成で実現することができる。さらに、手指で湾曲変形部１２５を操作することにより、湾曲変形部１２５の形状を比較的自由に変形させることが可能になるため、収納具１００の利便性が向上する。
【００６１】
収納具１００が、湾曲変形部１２５の湾曲可能な範囲を制限する湾曲制限部１３０を有するため、ガイディングカテーテル２００の本体部２１０を収納部１１０から引き出す際に、湾曲変形部１２５が過度に湾曲して本体部２１０にキンクが発生するのを防止することができる。
【００６２】
湾曲制限部１３０が、収納部１１０の基端部を保持して湾曲変形部１２５を湾曲した状態に維持する変形維持部材１３１を有するため、変形維持部材１３１を使用して収納部１１０を保持する簡単な操作で湾曲変形部１２５が過度に湾曲するのを防止することが可能になるため、収納具１００の利便性を向上させることができる。
【００６３】
収納具１００を使用することにより、比較的長い有効長で形成された本体部２１０を備えるガイディングカテーテル２００を収納する場合においてもコンパクトに収納することができ、かつ、ガイディングカテーテル２００の使用時に曲がり癖を容易に矯正することができる。
【００６４】
なお、第１実施形態に係る収納具１００として、ガイディングカテーテル２００の本体部２１０の中心軸Ｃ１を、巻回した収納部１１０の外形線の接線Ｔよりも巻回軸Ｍに近い位置に配置した状態で収納する構成のものを説明したが、中心軸Ｃ１と接線Ｔとが上記のような関係以外で配置されるように構成されている場合（中心軸Ｃ１が領域Ａよりも収納部１１０の径方向外側に配置されるように構成されている場合）においても、コンパクトな収納性と簡単な操作で曲がり癖の矯正を行うことができる利便性とを収納具に備えさせることが可能である。このような収納具の一例として、収納具１００には、収納部１１０において基端開口部１１６ｂが位置する基端側に形成され他の部位よりも容易に湾曲するように構成されたガイド部１２０（湾曲変形部１２５）が少なくとも備えられる。また、収納具１００は、ガイディングカテーテル２００が予め保持された状態で準備される。このように構成した収納具１００を使用することにより、本体部２１０をコンパクトに収納することができ、かつ、本体部２１０を引き出す際に、ガイド部１２０を使用して簡単かつ適切に本体部２１０の曲がり癖を矯正することが可能になる。
【００６５】
次に、前述した第１実施形態に係る収納具１００の変形例を説明する。なお、収納具１００の説明において既に説明した部材と同様に構成し得る部材や、同様の機能を有する部材等については、同一の符号を付してその説明を省略する。
【００６６】
＜変形例１＞
図６（Ａ）、図６（Ｂ）に示すように、変形例１に係る収納具１００は、ガイド部４２０を構成する湾曲変形部４２５を、収納部１１０における他の部位よりも柔軟に形成された柔軟部により構成している。
【００６７】
湾曲変形部４２５を構成する柔軟部は、例えば、他の部位よりも柔軟な材料を使用して構成したり、他の部位と同様の材料を使用する一方で他の部位よりも肉厚を薄く形成したりすることで構成することができる。また、例えば、収納部１１０の基端部を収納部の他の部位を構成する管状部材（チューブ部材）とは別の柔軟な部材で形成し、収納部１１０の基端部を他の部位よりも湾曲変形し易くすることで湾曲変形部４２５を備えさせることも可能である。
【００６８】
湾曲変形部４２５を柔軟部により形成する場合においても、収納部１１０にガイド部４２０としての機能を付加することができるため、ガイド部４２０を使用してガイディングカテーテル２００の曲がり癖を矯正することが可能になる。また、湾曲変形部４２５をより一層簡素な構成で実現することができるため、収納具１００の製造コストの削減や製造作業の簡略化を図ることができる。
【００６９】
＜変形例２＞
図７（Ａ）、図７（Ｂ）に示すように、変形例２に係る収納具１００においては、ガイド部５２０を構成する湾曲変形部５２５を、断面が矩形形状に形成された複数の凹部５２６ａおよび凸部５２６ｂからなる蛇腹構造部により構成している。
【００７０】
図７（Ｂ）に示すように、湾曲変形部５２５がある程度の角度で湾曲すると、一つの凹部５２６ａを間に挟んで隣接する凸部５２６ｂ同士が互いに当接し、湾曲変形部５２５の湾曲を制限して、湾曲変形部５２５が過度に湾曲するのを防止する。このように蛇腹構造部を形成する凹凸部分の断面形状を変更することで、蛇腹構造部に湾曲制限部としての機能を付加することができる。なお、凹凸部分の断面形状や寸法等は、制限する湾曲角度に応じて適宜変更することが可能であり、特に限定されるものではない。また、蛇腹構造部は、例えば、公知のコルゲート加工によって形成することも可能である。
【００７１】
＜変形例３＞
図８に示す変形例３に係る収納具１００においては、ガイド部６２０を構成する湾曲変形部６２５を蛇腹構造部により構成し、その蛇腹構造部の内面部分６２７を外面部分６２８よりも柔軟に形成している。
【００７２】
蛇腹構造部の内面部分６２７は、例えば、外面部分６２８よりも柔軟な材料を使用して構成したり、外面部分６２８と同様の材料を使用する一方で柔軟性を付与するコーティング層（被覆材）を設けたりすることで構成することができる。蛇腹構造部の内面部分６２７は、湾曲する際に引き伸ばされる部分となるため、内面部分６２７を比較的柔軟に形成すると、蛇腹構造部をさらに容易に湾曲させることが可能になる。これにより、収納部１１０を湾曲させる作業をより一層簡単かつ手早く行うことが可能になる。
【００７３】
＜変形例４＞
図９に示す変形例４に係る収納具１００においては、ガイド部７２０を構成する湾曲変形部７２５を、収納部１１０に形成した所定の凹凸構造により構成している。
【００７４】
湾曲変形部７２５は、収納部１１０の外面に形成した複数の空間部７３１と、一つの空間部７３１を間に挟んで隣接する複数の囲み部７３３と、を有している。各囲み部７３３には凸部７３２がそれぞれ形成されている。この凸部７３２は、隣接する囲み部７３３の背面をなす対向面７３３ａに対向して配置される当接面７３２ａを有している。
【００７５】
湾曲変形部７２５は、空間部７３１が形成されることにより他の部位よりも薄肉になった部分を起点にして湾曲変形をする。また、ある程度の曲率まで湾曲変形して、凸部７３２の当接面７３２ａがその前方側に位置する対向面７３３ａに当接すると、それ以降の湾曲変形が制限される。つまり、凸部７３２が湾曲変形部７２５の湾曲制限部として機能することにより、湾曲変形部７２５が過度に湾曲するのを防止することができる。このように、蛇腹構造部以外の構造を収納部１１０に付加する場合においても、収納部１１０に湾曲変形部としての機能と湾曲制限部としての機能を備えさせることが可能である。
【００７６】
＜第２実施形態＞
次に、本発明の第２実施形態に係る収納具８００を説明する。なお、第１実施形態に係る収納具１００の説明において既に説明した部材と同様に構成し得る部材や、同様の機能を有する部材等については、同一の符号を付してその説明を省略する。
【００７７】
図１０に示すように、第２実施形態に係る収納具８００は、収納部１１０に対して取り付け可能に構成された挿通部材８２５によりガイド部８２０が構成されている。
【００７８】
挿通部材８２５は、収納部１１０の基端開口部１１６ｂから露出したガイディングカテーテル２００の本体部２１０を挿通させるガイド溝８２６ａと、収納部１１０に取り付け可能な取り付け部８２７と、を有している。
【００７９】
ガイド溝８２６ａは、取り付け部８２７と一体的に構成された湾曲部８２６に形成している。また、図１０（Ｂ）に示すように、湾曲部８２６には、ガイド溝８２６ａ内へガイディングカテーテル２００の本体部２１０を挿入するための開口部８２６ｂと、開口部８２６ｂとガイド溝８２６ａに連なるスリット８２６ｃを形成している。
【００８０】
取り付け部８２７には、前述した固定具１５０と同様に、収納部１１０を嵌め込むための溝部（図示省略）を形成している。ガイド溝８２６ａは収納部１１０の第２巻回し部１１２から離間する方向へ向けて延びるように湾曲部８２６の内部に延在している。なお、ガイド溝８２６ａの延在方向に応じて、どの程度の湾曲角度でガイディングカテーテル２００の本体部２１０が収納部１１０内から引き出されるのかが定まるが、例えば、ガイド溝８２６ａを挿通させた際に、本体部２１０が曲がり癖を矯正する側に過度に湾曲されてキンク等が発生することのないように、収納部１１０の基端開口部１１６ｂが開口する方向に対して略直角にガイド溝８２６ａを延在させることができる。
【００８１】
図１０（Ｂ）に示すように、ガイディングカテーテル２００の本体部２１０は、開口部８２６ｂおよびスリット８２６ｃを介してガイド溝８２６ａ内に挿入することができる。スリット８２６ｃは、ガイド溝８２６ａに挿入した本体部２１０が不用意に抜け出さないように、ガイド溝８２６ａに向けて断面の寸法が小さくなるテーパー形状を有している。また、ガイド溝８２６ａにおいてガイディングカテーテル２００の本体部２１０が挿入される側の端部８２６ｄは、収納部１１０の基端開口部１１６ｂ側へ向けて緩やかに湾曲した形状に形成している。このような形状に端部８２６ｄを形成することにより、ガイド溝８２６ａ内に本体部２１０を挿入させる際や、ガイド溝８２６ａに沿わせて本体部２１０を移動させる際などに本体部２１０の外面に傷が付くのを防止することができる。
【００８２】
図１０（Ａ）に示すように、収納部１１０からガイディングカテーテル２００の本体部２１０を引き出す際に、ガイド溝８２６ａに本体部２１０を沿わせることで、本体部２１０に付いた曲がり癖を矯正することができる。
【００８３】
このように、本実施形態に係る収納具８００によれば、挿通部材８２５のガイド溝８２６ａに沿わせてガイディングカテーテル２００の本体部２１０を引き出す簡単な操作により本体部２１０に付いた曲がり癖を矯正することができる。さらに、収納部１１０に対して挿通部材８２５を取り付けることにより、収納具８００にガイド部８２０の機能を付加することが可能になるため、異なる収納具に対して挿通部材８２５を共用化して使用することにより、各々の収納具にガイド部８２０の機能を備えさせることが可能になる。
【００８４】
以上、複数の実施形態および複数の変形例を通じて本発明に係る収納具を説明したが、本発明は各実施形態および各変形例において示した構成のみに限定されることはなく、特許請求の範囲の記載に基づいて適宜変更することが可能である。
【００８５】
例えば、第１実施形態の各変形例を組み合わせて収納具を構成することが可能であるし、第１実施形態に係る変形例と第２実施形態に係る構成とを組み合わせて収納具を構成することも可能である。
【００８６】
また、本発明に係る収納具は、当該収納具が備えるガイド部により、収納具の収納部から医療用器具の本体部を引き出す際に、本体部に付いた曲がり癖を矯正する機能を備え得る限りにおいて各部の構造や部材の配置等は適宜変更することができる。図示により説明した付加的な部材の使用の省略や、その他の付加的な部材の使用等も適宜に行い得る。
【符号の説明】
【００８７】
１０  カテーテルセット、
１００、８００  収納具、
１１０  収納部、
１１１  第１巻回し部、
１１２  第２巻回し部、
１１３  第３巻回し部、
１１５  内腔、
１１６ａ  先端開口部、
１１６ｂ  基端開口部（開口部）、
１２０、４２０、５２０、６２０、７２０、８２０  ガイド部、
１２５、４２５、５２５、６２５、７２５  湾曲変形部（蛇腹構造部）、
１３０  湾曲制限部、
１３１  変形維持部材、
１６０  ハブ固定具、
２００  ガイディングカテーテル（医療用器具）、
２１０  本体部、
２２０  ハブ、
３００  包装容器、
８２５  挿通部材、
８２６ａ  ガイド溝、
８２７  取り付け部、
Ｍ  巻回軸、
Ｃ１  本体部の中心軸、
Ｐ１  引き出し位置、
Ｔ  接線。
【図１】
2016112201.tif 000003
【図２】
2016112201.tif 000004
【図３】
2016112201.tif 000005
【図４】
2016112201.tif 000006
【図５】
2016112201.tif 000007
【図６】
2016112201.tif 000008
【図７】
2016112201.tif 000009
【図８】
2016112201.tif 000010
【図９】
2016112201.tif 000011
【図１０】
2016112201.tif 000012